(57)【特許請求の範囲】
【請求項１】
壁掛け式の空気調和機で意匠部となるパネルと、熱交換器、制御部及び送風機等の内部部品を固定する筐体と、前記送風機から前記筐体の吹出口に至る風路ケ−シングと、前記風路ケーシングの一部に形成された凹部と、前記凹部に設けられた吸音材保持用のリブと、前記凹部を部分的に覆い風路ケーシング機能を担うカバ−と、前記リブと前記カバーとで挟持され風路に面して設けられた吸音材とを備えたことを特徴とする空気調和機の吸音装置。
【請求項２】
前記風路ケーシングの背面側に冷媒配管を配設し、前記凹部を前記冷媒配管と対向する位置まで形成し、該冷媒配管と対向する位置の前記凹部に前記カバーを設けたことを特徴とする請求項１項記載の空気調和機の吸音装置。
【請求項３】
壁掛け式の空気調和機で意匠部となるパネルと、熱交換器、制御部及び送風機等の内部部品を固定する筐体と、前記送風機から前記筐体の吹出口に至る風路ケ−シングと、前記風路ケ−シングの一部に形成された穴と、前記穴に対向する前記風路ケーシングの背面側に設けられ前記穴より大なる容器状のカバーと、前記カバーの内側に設けられた吸音材保持用のリブと、前記風路ケーシングと前記カバーとで挟持され風路に面して設けられた吸音材とを備えたことを特徴とする空気調和機の吸音装置。
【請求項４】
壁掛け式の空気調和機で意匠部となるパネルと、熱交換器、制御部及び送風機等の内部部品を固定する筐体と、前記送風機から前記筐体の吹出口に至る風路ケ−シングと、前記風路ケ−シングの一部に形成された穴と、前記穴に対向する前記風路ケーシングの背面側に設けられ前記穴より大なる容器状のカバーと、前記風路ケ−シングの穴近傍の裏面に設けられ前記吸音材を固定する爪部と、前記風路ケーシングと前記爪部とで挟持され風路に面して設けられた吸音材とを備えたことを特徴とする空気調和機の吸音装置。
【請求項５】
壁掛け式の空気調和機で意匠部となるパネルと、熱交換器、制御部及び送風機等の内部部品を固定する筐体と、前記送風機から前記筐体の吹出口に至る風路ケ−シングと、前記風路ケ−シングの一部に形成された穴と、前記穴に対向する前記風路ケーシングの背面側に設けられ前記穴より大なる容器状のカバーと、前記風路ケ−シングの穴近傍の裏面に高周波溶着で固定され風路に面して設けられた吸音材とを備えたことを特徴とする空気調和機の吸音装置。
【請求項６】
前記風路ケーシングの背面側に冷媒配管を配設し、前記カバーを前記風路ケーシングと前記冷媒配管との間まで延長して設けたことを特徴とする請求項３又は４又は５のいずれか１項に記載の空気調和機の吸音装置。
【発明の詳細な説明】
【０００１】
【発明の属する技術分野】
この発明は、空気調和機の性能改善と作業性改善に関するものである。
【０００２】
【従来の技術】
図８は例えば特開平１−１９４９１８号公報に示された従来の空気清浄機の吸音材使用例を示す斜視図である。図において、２４は空気清浄機のボディで、吸込口５と吹出口６とが形成されている。２５は吸込口５に臨んで形成されたベルマウス、２７はベルマウス２５に連通し、ファンモ−タ２６によって駆動される遠心ファン、２８は遠心ファン２７からボディ２４の吹出口６に至るファンケ−シング、２９はファンケーシング２８の内周面に貼り付けられ多孔質吸音層を成す吸音材である。
【０００３】
次に動作について説明する。従来の空気清浄機は上記のように構成され、ファンケ−シング２８の内周面には吸音材２９が設けてあり、接着にて取り付けられている。したがって、多孔質吸音層を成す吸音材２９で囲まれたファンケーシング内の空洞部は、共鳴による騒音の増幅が低減される。
【０００４】
【発明が解決しようとする課題】
従来の空気調和機は以上のように構成されており、接着にて吸音材を固定しなければならず、作業性が悪い。また、ケ−シング内であり、吸音材が剥がれたりした場合、ファンに接触して異音発生の原因となり得る。また、硬質の吸音材の場合は形成するのが難しいといった問題点もあった。
また、部品的にも、作業的にもコストがかかるといった問題点があった。
【０００５】
この発明は、上記のような課題を解消するためになされたもので、第１の目的は、吸音材を簡単に、正確に固定できる構造を得ることを目的とする。
【０００６】
第２の目的は、使用中に吸音材が剥がれるなどの不良が発生しない構造を得ることを目的とする。
【０００７】
第３の目的は、コストをかけずに、構成した装置を得ることを目的とする。
【０００８】
【課題を解決するための手段】
この発明に係る空気調和機の吸音装置は、壁掛け式の空気調和機で意匠部となるパネルと、熱交換器、制御部及び送風機等の内部部品を固定する筐体と、前記送風機から前記筐体の吹出口に至る風路ケ−シングと、前記風路ケーシングの一部に形成された凹部と、前記凹部に設けられた吸音材保持用のリブと、前記凹部を部分的に覆い風路ケーシング機能を担うカバ−と、前記リブと前記カバーとで挟持され風路に面して設けられた吸音材とを備えたものである。
【０００９】
また、前記風路ケーシングの背面側に冷媒配管を配設し、前記凹部を前記冷媒配管と対向する位置まで形成し、該冷媒配管と対向する位置の前記凹部に前記カバーを設けたものである。
【００１０】
また、壁掛け式の空気調和機で意匠部となるパネルと、熱交換器、制御部及び送風機等の内部部品を固定する筐体と、前記送風機から前記筐体の吹出口に至る風路ケ−シングと、前記風路ケ−シングの一部に形成された穴と、前記穴に対向する前記風路ケーシングの背面側に設けられ前記穴より大なる容器状のカバーと、前記カバーの内側に設けられた吸音材保持用のリブと、前記風路ケーシングと前記カバーとで挟持され風路に面して設けられた吸音材とを備えたものである。
【００１１】
また、壁掛け式の空気調和機で意匠部となるパネルと、熱交換器、制御部及び送風機等の内部部品を固定する筐体と、前記送風機から前記筐体の吹出口に至る風路ケ−シングと、前記風路ケ−シングの一部に形成された穴と、前記穴に対向する前記風路ケーシングの背面側に設けられ前記穴より大なる容器状のカバーと、前記風路ケ−シングの穴近傍の裏面に設けられ前記吸音材を固定する爪部と、前記風路ケーシングと前記爪部とで挟持され風路に面して設けられた吸音材とを備えたものである。
【００１２】
また、壁掛け式の空気調和機で意匠部となるパネルと、熱交換器、制御部及び送風機等の内部部品を固定する筐体と、前記送風機から前記筐体の吹出口に至る風路ケ−シングと、前記風路ケ−シングの一部に形成された穴と、前記穴に対向する前記風路ケーシングの背面側に設けられ前記穴より大なる容器状のカバーと、前記風路ケ−シングの穴近傍の裏面に高周波溶着で固定され風路に面して設けられた吸音材とを備えたものである。
【００１３】
また、前記風路ケーシングの背面側に冷媒配管を配設し、前記カバーを前記風路ケーシングと前記冷媒配管との間まで延長して設けたものである。
【００１４】
【発明の実施の形態】
実施の形態１．
以下、この発明の実施の形態を図について説明する。図１はこの発明の空気調和機を示す断面図、図２は図１の空気調和機における吸音装置を示す断面図である。図１、２において、１は壁掛け式の空気調和機本体で、後述する各機器を固定し収納する筐体と、この筐体の前面に設けられ意匠部を成すパネルとでその外殻を構成する。２は筐体内に配設されたクロスフローファン式の送風機、３は送風機２の周囲に配設された熱交換器、４は熱交換器３の下方に設けられたドレンパンである。
【００１５】
５はパネルの前面に形成された吸込口、６は筐体下部に形成された吹出口で、これらにより吸込口５、熱交換器３、送風機２、吹出口６に順次至る風路が形成される。７は断熱材で、筐体背面下部に配設され熱交換器３に接続される冷媒配管８と風路との間を断熱している。１０は送風機２から吹出口６に至る本体背面側の風路を形成する風路ケーシングで、途中に背面方向へ窪んだ凹部１０ａが形成されている。１１は凹部１０ａに複数条設けられた弾性のリブである。
【００１６】
１２はリブ１１に対向する部分に穴１２ａ（角穴）を形成し、この穴１２ａを除いて凹部１０ａを覆うカバーで、風路側の面は風路ケーシング１０の風路側の面と面一であり、裏面側は凹部１０とで空洞部を形成する。９は穴１２ａより一回り大きく、凹部１０ａ上のリブ１１とカバー１２とにより挟持され、穴１２ａより風路に臨むよう設けられた多孔質吸音層を成す吸音材である。
【００１７】
次に動作について説明する。図１、２において、吸音材９は、風路ケ−シング１０の凹部に形成されたリブ１１とケ−シング形状のカバ−１２とにより挟まれ、カバー１２を適宜の方法で風路ケーシング１０に固定することで固定される。これにより、吸音材９の隙間を通った音は風路ケ−シング１０の凹部１０ａとカバー１２とで形成された空洞部で消音される。
【００１８】
上記のような構成により、吸音材を挟み込んで取り付けるため、簡単に且つ正確に吸音材を固定できる構造を得られる効果がある。
また、使用中に吸音材が剥がれるなどの不良が発生しない構造を得られる効果がある。
そして、そのような構造をコストをかけずに構成した装置が得られる効果がある。
【００１９】
実施の形態２．
図３はこの発明の空気調和機における吸音装置の他の実施の形態を示す断面図で、空気調和機全体の構成は図１に示す実施の形態１のものと同様なので、その説明を省略する。図３において、１０は送風機から吹出口に至る本体背面側の風路を形成する風路ケーシングで、途中背面側に連通した穴１０ｂ（角穴）が形成されている。１４は穴１０ｂに対応する風路ケーシング１０の背面側に設けられ、穴１０ｂを覆うカバーで、風路ケーシング１０の裏面側とで空洞部を形成する。
【００２０】
１３はカバー１４の穴１０ｂと対向する位置に複数条設けられた弾性のリブ、９は穴１０ｂより一回り大きく、周囲が風路ケーシング１０とリブ１３とにより挟持され、穴１０ｂより風路に臨むよう設けられた多孔質吸音層を成す吸音材である。
【００２１】
次に動作について説明する。図３において、吸音材９は、風路ケ−シング１０の穴１０ｂとカバ−１４に形成されたリブ１３とにより挟まれ、カバー１４を適宜の方法で風路ケーシング１０に固定することで固定される。これにより、吸音材９の隙間を通った音は風路ケ−シング１０とカバー１４とで形成された空洞部で消音される。
【００２２】
上記のような構成により、吸音材を挟み込んで取り付けるため、簡単に、正確に吸音材を固定できる構造を得られる効果がある。
また、使用中に吸音材が剥がれるなどの不良が発生しない構造を得られる効果がある。
さらに、風路に風路ケーシングとカバーとの継ぎ目が表われないから、空気流を円滑にできる。
そして、そのような構造をコストをかけずに構成した装置が得られる効果がある。
【００２３】
実施の形態３．
図４はこの発明の空気調和機における吸音装置の他の実施の形態を示す断面図で、空気調和機全体の構成は図１に示す実施の形態１のものと同様なので、その説明を省略する。図４において、１０は送風機から吹出口に至る本体背面側の風路を形成する風路ケーシングで、途中背面側に連通した穴１０ｂ（角穴）が形成されている。１５は穴１０ｂに対応する風路ケーシング１０の背面側に設けられ、穴１０ｂを覆うカバーで、風路ケーシング１０の裏面側とで空洞部を形成する。
【００２４】
１５は風路ケーシングの穴１０ｂ近傍に形成された係合部としての爪部、９は穴１０ｂより一回り大きく、爪部１５により周囲が風路ケーシング１０側に密着して固定されるとともに、穴１０ｂより風路に臨むよう設けられた多孔質吸音層を成す吸音材である。
【００２５】
次に動作について説明する。図４において、吸音材９は、爪部１５により風路ケ−シング１０側に固定され、その後カバー１６をかぶせ、適宜の方法で固定する。これにより、吸音材９の隙間を通った音は風路ケ−シング１０とカバー１４とで形成された空洞部で消音される。
【００２６】
上記のような構成により、吸音材を挟み込んで取り付けるため、簡単に、正確に吸音材を固定できる構造を得られる効果がある。
また、使用中に吸音材が剥がれるなどの不良が発生しない構造を得られる効果がある。
さらに、吸音材は風路ケーシング又はリブの一方によって固定可能であるから、風路ケーシングとリブとの位置関係に制約されることがなくなる。
そして、そのような構造をコストをかけずに構成した装置が得られる効果がある。
【００２７】
実施の形態４．
図５はこの発明の空気調和機における吸音装置の他の実施の形態を示す断面図で、空気調和機全体の構成は図１に示す実施の形態１のものと同様なので、その説明を省略する。図５において、１０は送風機から吹出口に至る本体背面側の風路を形成する風路ケーシングで、途中背面側に連通した穴１０ｂ（角穴）が形成されている。１８は穴１０ｂに対応する風路ケーシング１０の背面側に設けられ、穴１０ｂを覆うカバーで、風路ケーシング１０の裏面側とで空洞部を形成する。
【００２８】
９は穴１０ｂより一回り大きく、周囲が風路ケーシング１０の穴１０ｂ周辺に高周波溶着により密着して固定されるとともに、穴１０ｂより風路に臨むよう設けられた多孔質吸音層を成す吸音材である。１７は風路ケーシングの穴１０ｂ近傍に形成された高周波溶着部である。
【００２９】
次に動作について説明する。図５において、吸音材９は、高周波溶着により穴１０ｂ周辺の風路ケ−シング１０裏面側に固定され、その後カバー１８をかぶせ、適宜の方法で固定する。これにより、吸音材９の隙間を通った音は風路ケ−シング１０とカバー１８とで形成された空洞部で消音される。
【００３０】
このような構成により、吸音材を挟み込んで取り付けるため、簡単に、正確に吸音材を固定できる構造を得られる効果がある。
また、使用中に吸音材が剥がれるなどの不良が発生しない構造を得られる効果がある。
さらに、リブがなくても良いので、風路ケーシングとカバーとによって形成される空洞部を有効に確保できる。
そして、そのような構造をコストをかけずに構成した装置が得られる効果がある。
【００３１】
実施の形態５．
図６はこの発明の空気調和機における吸音装置の他の実施の形態を示す断面図で、空気調和機全体の構成は図１に示す実施の形態１のものと同様なので、その説明を省略する。図６において、１０は送風機から吹出口に至る本体背面側の風路を形成する風路ケーシングで、途中背面側に連通した穴１０ｂ（角穴）が形成されている。
【００３２】
２０は穴１０ｂに対応する風路ケーシング１０の背面側に設けられ、穴１０ｂを覆うカバーで、さらに筐体下部背面側に配設された冷媒配管８と風路ケーシング１０との間を仕切るように筐体下部まで延設され、風路ケーシング１０の裏面側とで空気層２１を成す空洞部を形成する。
【００３３】
１９はカバー２０の穴１０ｂと対向する位置に複数条設けられた弾性のリブ、９は穴１０ｂより一回り大きく、周囲が風路ケーシング１０とリブ１９とにより挟持され、穴１０ｂより風路に臨むよう設けられた多孔質吸音層を成す吸音材である。
【００３４】
次に動作について説明する。図６において、吸音材９は、風路ケ−シング１０の穴１０ｂとカバ−２０に形成されたリブ１９とにより挟まれ、カバー２０を適宜の方法で風路ケーシング１０に固定することで固定される。これにより、吸音材９の隙間を通った音は風路ケ−シング１０とカバー２０とで形成された空洞部で消音される。さらに、空洞部は風路ケーシング１０と冷媒配管８との間に空気層２１を形成するので、冷風が通るケーシング１０と温かい冷媒配管８が配設された配管収納部とは断熱され、カバー２０の面の結露を防止できる。
【００３５】
上記のような構成により、吸音材を挟み込んで取り付けるため、簡単に、正確に吸音材を固定できる構造を得られる効果がある。
また、使用中に吸音材が剥がれるなどの不良が発生しない構造を得られる効果がある。
さらに、吸音用の空気層を利用して断熱効果が得られる。
そして、そのような構造をコストをかけずに構成した装置が得られる効果がある。
【００３６】
実施の形態６．
図７はこの発明の空気調和機における吸音装置の他の実施の形態を示す断面図で、空気調和機全体の構成は図１に示す実施の形態１のものと同様なので、その説明を省略する。図６において、１０は送風機から吹出口に至る本体背面側の風路を形成する風路ケーシングで、途中部から吹出口にかけて背面方向へ窪んだ凹部１０ｃが形成されている。２２は凹部１０ｃに複数条設けられた弾性のリブである。
【００３７】
２３はリブ２２に対向する部分に穴２３ａ（角穴）を形成し、この穴２３ａを除いて凹部１０ｃを覆うカバーで、風路側の面は風路ケーシング１０の風路側の面と面一であり、裏面側は凹部１０ｃとで空気層２１を成す空洞部を形成する。９は穴２３ａより一回り大きく、凹部１０ｃ上のリブ２２とカバー２３とにより挟持され、穴２３ａより風路に臨むよう設けられた多孔質吸音層を成す吸音材である。
【００３８】
次に動作について説明する。図７において、吸音材９は、カバー２３の穴２３ａと凹部１０ｃに形成されたリブ２２とにより挟まれ、カバー２３を適宜の方法で風路ケーシング１０に固定することで固定される。これにより、吸音材９の隙間を通った音は風路ケ−シング１０とカバー２３とで形成された空洞部で消音される。さらに、空洞部はカバー２３と冷媒配管８との間に空気層２１を形成するので、冷風が通るカバー２３と温かい冷媒配管８が配設された配管収納部とは断熱され、配管収納部の結露を防止できる。
【００３９】
上記のような構成により、吸音材を挟み込んで取り付けるため、簡単に、正確に吸音材を固定できる構造を得られる効果がある。
また、使用中に吸音材が剥がれるなどの不良が発生しない構造を得られる効果がある。
さらに、吸音用の空気層を利用して断熱効果が得られる。
そして、そのような構造をコストをかけずに構成した装置が得られる効果がある。
【００４０】
実施の形態７．
なお、図４に対応する実施の形態３において、爪１５をカバ−１６側に形成してもよく、上記実施例と同様の効果を奏する。
【００４１】
実施の形態８．
また、図５に対応する実施の形態４において、高周波溶着部１７をカバ−１８側に形成してもよく、上記実施例と同様の効果を奏する。
【００４２】
【発明の効果】
以上のとおり、この発明によれば、壁掛け式の空気調和機で意匠部となるパネルと、熱交換器、制御部及び送風機等の内部部品を固定する筐体と、前記送風機から前記筐体の吹出口に至る風路ケ−シングと、前記風路ケーシングの一部に形成された凹部と、前記凹部に設けられた吸音材保持用のリブと、前記凹部を部分的に覆い風路ケーシング機能を担うカバ−と、前記リブと前記カバーとで挟持され風路に面して設けられた吸音材とを備えたので、吸音材を簡単且つ正確に固定でき、使用中に吸音材が剥がれるなどの不良が発生しない構造を、低コストで実現できる効果が得られる。
【００４３】
また、前記風路ケーシングの背面側に冷媒配管を配設し、前記凹部を前記冷媒配管と対向する位置まで形成し、該冷媒配管と対向する位置の前記凹部に前記カバーを設けたので、風路ケーシングとカバーとで形成される空洞部により風路の騒音を消音できるとともに風路と冷媒配管との間の断熱が行なえる効果が得られる。
【００４４】
また、壁掛け式の空気調和機で意匠部となるパネルと、熱交換器、制御部及び送風機等の内部部品を固定する筐体と、前記送風機から前記筐体の吹出口に至る風路ケ−シングと、前記風路ケ−シングの一部に形成された穴と、前記穴に対向する前記風路ケーシングの背面側に設けられ前記穴より大なる容器状のカバーと、前記カバーの内側に設けられた吸音材保持用のリブと、前記風路ケーシングと前記カバーとで挟持され風路に面して設けられた吸音材とを備えたので、吸音材を簡単且つ正確に固定でき、使用中に吸音材が剥がれるなどの不良が発生しない構造を、低コストで実現できるとともに、風路に風路ケーシングとカバーとの継ぎ目が表われないから、空気流を円滑にできる効果が得られる。
【００４５】
また、壁掛け式の空気調和機で意匠部となるパネルと、熱交換器、制御部及び送風機等の内部部品を固定する筐体と、前記送風機から前記筐体の吹出口に至る風路ケ−シングと、前記風路ケ−シングの一部に形成された穴と、前記穴に対向する前記風路ケーシングの背面側に設けられ前記穴より大なる容器状のカバーと、前記風路ケ−シングの穴近傍の裏面に設けられ前記吸音材を固定する爪部と、前記風路ケーシングと前記爪部とで挟持され風路に面して設けられた吸音材とを備えたので、吸音材を風路ケーシングとリブとの位置関係に制約されることなく簡単且つ正確に固定でき、使用中に吸音材が剥がれるなどの不良が発生しない構造を、低コストで実現できる効果が得られる。
【００４６】
また、壁掛け式の空気調和機で意匠部となるパネルと、熱交換器、制御部及び送風機等の内部部品を固定する筐体と、前記送風機から前記筐体の吹出口に至る風路ケ−シングと、前記風路ケ−シングの一部に形成された穴と、前記穴に対向する前記風路ケーシングの背面側に設けられ前記穴より大なる容器状のカバーと、前記風路ケ−シングの穴近傍の裏面に高周波溶着で固定され風路に面して設けられた吸音材とを備えたので、吸音材を簡単且つ正確に固定でき、使用中に吸音材が剥がれるなどの不良が発生しない構造を、低コストで実現できるとともに、風路ケーシングとカバーとによって形成される空洞部を有効に確保できる効果が得られる。
【００４７】
また、前記風路ケーシングの背面側に冷媒配管を配設し、前記カバーを前記風路ケーシングと前記冷媒配管との間まで延長して設けたので、風路ケーシングとカバーとで形成される空洞部により風路の騒音を消音できるとともに風路と冷媒配管との間の断熱が行なえる効果が得られる。
【図面の簡単な説明】
【図１】この発明の実施の形態における空気調和機を示す断面図である。
【図２】この発明の実施の形態１における空気調和機の吸音装置を示す断面図である。
【図３】この発明の実施の形態２における空気調和機の吸音装置を示す断面図である。
【図４】この発明の実施の形態３における空気調和機の吸音装置を示す断面図である。
【図５】この発明の実施の形態４における空気調和機の吸音装置を示す断面図である。
【図６】この発明の実施の形態５における空気調和機の吸音装置を示す断面図である。
【図７】この発明の実施の形態６における空気調和機の吸音装置を示す断面図である。
【図８】従来の空気清浄機を示す斜視図である。
【符号の説明】
１：空気調和機本体
２：送風機
３：熱交換器
４：ドレンパン
５：吸込口
６：吹出口
７：断熱材
８：冷媒配管
９：多孔質吸音材
１０：風路ケーシング
１１：リブ
１２：カバ−
１３：リブ
１４：カバ−
１５：爪部
１６：カバ−
１７：高周波溶着部
１８：カバ−
１９：リブ
２０：カバ−
２１：空気層
２２：リブ
２３：カバ−
２４：ボデイ
２５：ベルマウス
２６：モ−タ−
２７：送風機
２８：ファンケーシング
２９：吸音材
【図１】
0003772500.tif 000002
【図２】
0003772500.tif 000003
【図３】
0003772500.tif 000004
【図４】
0003772500.tif 000005
【図５】
0003772500.tif 000006
【図６】
0003772500.tif 000007
【図７】
0003772500.tif 000008
【図８】
0003772500.tif 000009